(57)【特許請求の範囲】
【請求項１】
通信ネットワークに接続された他の伝送端末との間で、画像データを含む所定のデータの送受信を行うネットワーク通信手段と、
所定の画像を表示する情報提供装置の接近に伴い、当該情報提供装置との間で近接通信を確立し、当該近接通信の通信方式よりも長距離での通信が可能な通信方式の通信確立に必要な接続設定情報を前記情報提供装置に送信する近接通信手段と、
前記接続設定情報を用いて、前記近接通信手段よりも長距離での通信が可能な通信方式により、前記情報提供装置との間で無線通信を確立する近距離通信手段と、
前記近距離通信手段により確立された通信経路を介して、前記情報提供装置で表示中の画面を表す表示データを受信する表示データ受信手段と、
前記表示データ受信手段が受信した前記表示データを、前記ネットワーク通信手段を用いて前記他の伝送端末に送信する表示データ送信手段と、
前記画像データ及び／又は前記表示データを表示装置に表示する表示制御手段と、
前記情報提供装置が前記近距離通信手段により確立された通信経路を介してアクセス可能な記憶領域を提供し、当該記憶領域に、前記情報提供装置に前記表示データの取得機能を実現させるための表示データ取得プログラムを記憶した記憶手段と、
を備えたことを特徴とする伝送端末。
【請求項２】
前記表示データ送信手段は、前記表示データ受信手段が受信した表示データ及び／又は自己の伝送端末からの画像データを、前記通信ネットワークに接続された各伝送端末に中継する中継装置に向けて送信し、
前記表示制御手段は、前記中継装置から送信される表示データ及び／又は画像データを前記表示装置に表示させることを特徴とする請求項１に記載の伝送端末。
【請求項３】
前記表示データを前記中継装置から受信中か否かを判定する判定手段を更に備え、
前記表示制御手段は、前記判定手段の判定結果に応じて、前記表示装置に表示する前記表示データ又は前記画像データの配置を変更することを特徴とする請求項２に記載の伝送端末。
【請求項４】
前記表示制御手段は、前記判定手段が前記表示データを受信中と判定した場合に、前記表示装置の同一画面に含まれた第１表示領域に前記表示データを表示させるとともに、当該第１表示領域とは異なる前記同一画面に含まれた第２表示領域に前記画像データを表示させることを特徴とする請求項３に記載の伝送端末。
【請求項５】
前記判定手段が他の伝送端末から送信された表示データを受信中と判定した場合に、前記情報提供装置からの前記表示データの受信を停止させる停止手段を更に備え、
前記表示制御手段は、前記他の伝送端末から送信された表示データを前記第１表示領域に表示させることを特徴とする請求項４に記載の伝送端末。
【請求項６】
前記表示制御手段は、前記判定手段が表示データを受信していないと判定した場合に、前記ネットワーク通信手段が受信した特定の伝送端末を識別する端末情報に基づいて、当該端末情報に対応する伝送端末から送信された画像データを前記第１表示領域に表示させ、この伝送端末以外の伝送端末から送信された画像データを前記第２表示領域に表示させることを特徴とする請求項４又は５に記載の伝送端末。
【請求項７】
前記第１表示領域は、前記第２表示領域の配置位置に比べて、表示画面の中央に近い位置に配置されていることを特徴とする請求項４〜６の何れか一項に記載の伝送端末。
【請求項８】
前記表示制御手段は、前記判定手段が前記表示データを受信中と判定した場合に、前記表示装置の第１画面に前記表示データを表示させるとともに、当該第１画面とは異なる第２画面に前記画像データを表示させることを特徴とする請求項３に記載の伝送端末。
【請求項９】
前記判定手段が他の伝送端末から送信された表示データを受信中と判定した場合に、前記情報提供装置からの前記表示データの受信を停止させる停止手段を更に備え、
前記表示制御手段は、前記他の伝送端末から送信された表示データを前記第１画面に表示させることを特徴とする請求項８に記載の伝送端末。
【請求項１０】
前記表示制御手段は、前記判定手段が前記表示データを受信していないと判定した場合に、前記第１画面を表示させずに、前記ネットワーク通信手段が受信した特定の伝送端末を識別する端末情報に基づいて、当該端末情報に対応する伝送端末から送信された画像データを前記第２画面の第１表示領域に表示させ、この伝送端末以外の伝送端末から送信された画像データを前記第２画面の前記第１表示領域とは異なる第２表示領域に表示させることを特徴とする請求項９に記載の伝送端末。
【請求項１１】
前記第２画面の前記第１表示領域は、前記第２表示領域の配置位置に比べて、表示画面の中央に近い位置に配置されていることを特徴とする請求項１０に記載の伝送端末。
【請求項１２】
利用者からの操作入力を受け付ける操作入力受付手段を更に備え、
前記表示制御手段は、前記操作入力受付手段から所定の操作入力を受け付けた場合に、前記第１画面と前記第２画面との表示を交互に切り替えることを特徴とする請求項８〜１１の何れか一項に記載の伝送端末。
【請求項１３】
前記近接通信手段は、前記接続設定情報を提供する前に、前記情報提供装置から認証情報を受信し、当該認証情報と予め定められた正規利用者の認証結果との認証結果を、前記情報提供装置に送信することを特徴とする請求項１〜１２の何れか一項に記載の伝送端末。
【請求項１４】
ネットワーク通信手段が、通信ネットワークに接続された他の伝送端末との間で、画像データを含む所定のデータの送受信を行うネットワーク通信工程と、
近接通信手段が、所定の画像を表示する情報提供装置の接近に伴い、当該情報提供装置との間で近接通信を確立し、当該近接通信の通信方式よりも長距離での通信が可能な通信方式の通信確立に必要な接続設定情報を前記情報提供装置に送信する近接通信工程と、
近距離通信手段が、前記接続設定情報を用いて、前記近接通信手段よりも長距離での通信が可能な通信方式により、前記情報提供装置との間で無線通信を確立する近距離通信工程と、
表示データ受信手段が、前記近距離通信工程で確立された通信経路を介して、前記情報提供装置で表示中の画面を表した表示データを受信する表示データ受信工程と、
表示データ送信手段が、前記表示データ受信工程で受信した前記表示データを、前記ネットワーク通信手段を用いて前記他の伝送端末に送信する表示データ送信工程と、
表示制御手段が、前記画像データ及び／又は前記表示データを表示装置に表示させる表示制御工程と、
記憶手段が、前記情報提供装置が前記近距離通信手段により確立された通信経路を介してアクセス可能な記憶領域を提供し、当該記憶領域に、前記情報提供装置に前記表示データの取得機能を実現させるための表示データ取得プログラムを記憶した記憶工程と、
を含むことを特徴とする表示データ送信方法。
【請求項１５】
コンピュータを、
通信ネットワークに接続された他の伝送端末との間で、画像データを含む所定のデータの送受信を行うネットワーク通信手段と、
所定の画像を表示する情報提供装置の接近に伴い、当該情報提供装置との間で近接通信を確立し、当該近接通信の通信方式よりも長距離での通信が可能な通信方式の通信確立に必要な接続設定情報を前記情報提供装置に送信する近接通信手段と、
前記接続設定情報を用いて、前記近接通信手段よりも長距離での通信が可能な通信方式により、前記情報提供装置との間で無線通信を確立する近距離通信手段と、
前記近距離通信手段により確立された通信経路を介して、前記情報提供装置で表示中の画面を表す表示データを受信する表示データ受信手段と、
前記表示データ受信手段が受信した前記表示データを、前記ネットワーク通信手段を用いて前記他の伝送端末に送信する表示データ送信手段と、
前記画像データ及び／又は前記表示データを表示装置に表示させる表示制御手段と、
前記情報提供装置が前記近距離通信手段により確立された通信経路を介してアクセス可能な記憶領域を提供し、当該記憶領域に、前記情報提供装置に前記表示データの取得機能を実現させるための表示データ取得プログラムを記憶した記憶手段と、
して機能させるためのプログラム。
【請求項１６】
伝送端末の接近に伴い、当該伝送端末との間で近接通信を確立し、当該近接通信の通信方式よりも長距離での通信が可能な通信方式の通信確立に必要な接続設定情報を当該伝送端末から受信する近接通信手段と、
前記接続設定情報を用いて、前記近接通信手段よりも長距離での通信が可能な通信方式により、前記伝送端末との間で無線通信を確立する近距離通信手段と、
表示装置に所定の画像を表示する表示制御手段と、
前記表示制御手段が表示中の画像を表した表示データを取得する表示データ取得手段と、
前記近距離通信手段により確立された通信経路を介して、前記表示データ取得手段が取得した前記表示データを前記伝送端末に送信する表示データ送信手段と、
を備え、
前記表示データ取得手段は、前記近距離通信手段により確立された通信経路を介してアクセス可能な前記伝送端末の記憶領域に記憶された表示データ取得プログラムの実行により、実現されることを特徴とする情報提供装置。
【請求項１７】
利用者から前記表示データの送信開始又は送信停止の指示を受け付ける操作入力手段を更に備え、
前記表示データ送信手段は、前記操作入力手段への操作入力に応じて、前記表示データの送信開始又は送信停止を行うことを特徴とする請求項１６に記載の情報提供装置。
【請求項１８】
前記表示データ送信手段は、前記表示データの送信停止中に前記操作入力手段から送信開始が指示された場合に、前記近距離通信手段により確立された通信経路を介して、前記伝送端末に前記表示データの送信開始を通知し、当該伝送端末から送信可能を通知する送信可能応答を受信すると、前記表示データの送信を開始することを特徴とする請求項１７に記載の情報提供装置。
【請求項１９】
前記表示データ送信手段は、前記表示データの送信中に前記操作入力手段から送信停止が指示された場合に、前記近距離通信手段により確立された通信経路を介して、前記伝送端末に前記表示データの送信停止を通知し、前記表示データの送信を停止することを特徴とする請求項１７に記載の情報提供装置。
【請求項２０】
前記表示データ送信手段は、前記表示データの送信中に前記近距離通信手段により確立された通信経路を介して、前記伝送端末から前記表示データの送信停止が指示された場合に、当該伝送端末に前記表示データの送信停止を通知し、前記表示データの送信を停止することを特徴とする請求項１７に記載の情報提供装置。
【請求項２１】
前記操作入力手段は、前記表示データの送信状態に応じて送信開始又は送信停止の指示を受け付ける状態に切り替えることを特徴とする請求項１７〜２０の何れか一項に記載の情報提供装置。
【請求項２２】
前記近接通信手段は、前記接続設定情報を取得する前に、認証情報を前記伝送端末に送信し、当該伝送端末から送信される認証結果が受理を示す場合に、前記接続設定情報の取得を行うことを特徴とする請求項１６〜２１の何れか一項に記載の情報提供装置。
【請求項２３】
近接通信手段が、伝送端末の接近に伴い、当該伝送端末との間で近接通信を確立し、当該近接通信の通信方式よりも長距離での通信が可能な通信方式の通信確立に必要な接続設定情報を当該伝送端末から受信する近接通信工程と、
近距離通信手段が、前記接続設定情報を用いて、前記近接通信手段よりも長距離での通信が可能な通信方式により、前記伝送端末との間で無線通信を確立する近距離通信工程と、
表示制御手段が、表示装置に所定の画像を表示する表示制御工程と、
表示データ取得手段が、前記近距離通信工程により確立された通信経路を介してアクセス可能な前記伝送端末の記憶領域に記憶された表示データ取得プログラムの実行により、前記表示制御工程で表示中の画像を表した表示データを取得する表示データ取得工程と、
表示データ送信手段が、前記近距離通信工程で確立された通信経路を介して、前記表示データ取得工程で取得された前記表示データを前記伝送端末に送信する表示データ送信工程と、
を含むことを特徴とする表示データ送信方法。
【請求項２４】
コンピュータを、
伝送端末の接近に伴い、当該伝送端末との間で近接通信を確立し、当該近接通信の通信方式よりも長距離での通信が可能な通信方式の通信確立に必要な接続設定情報を当該伝送端末から受信する近接通信手段と、
前記接続設定情報を用いて、前記近接通信手段よりも長距離での通信が可能な通信方式により、前記伝送端末との間で無線通信を確立する近距離通信手段と、
表示装置に所定の画像を表示する表示制御手段と、
前記近距離通信手段により確立された通信経路を介してアクセス可能な前記伝送端末の記憶領域に記憶された表示データ取得プログラムの実行により、前記表示制御手段が表示中の画像を表した表示データを取得する表示データ取得手段と、
前記近距離通信手段により確立された通信経路を介して、前記表示データ取得手段が取得した前記表示データを前記伝送端末に送信する表示データ送信手段と、
として機能させるためのプログラム。
【請求項２５】
画像データを含む所定のデータの送受信を行う通信ネットワークに接続された複数の伝送端末と、所定の画像を表示する情報提供装置とを有した伝送システムであって、
前記伝送端末の各々は、前記通信ネットワークに接続された他の伝送端末との間で前記所定のデータの送受信を行うネットワーク通信手段と、
前記情報提供装置の接近に伴い、当該情報提供装置との間で近接通信を確立し、当該近接通信の通信方式よりも長距離での通信が可能な通信方式の通信確立に必要な接続設定情報を前記情報提供装置に送信する第１近接通信手段と、
前記接続設定情報を用いて、前記第１近接通信手段よりも長距離での通信が可能な通信方式により、前記情報提供装置との間で無線通信を確立する第１近距離通信手段と、
前記第１近距離通信手段により確立された通信経路を介して、前記情報提供装置で表示中の画面を表す表示データを受信する表示データ受信手段と、
前記表示データ受信手段が受信した前記表示データを、前記ネットワーク通信手段を用いて他の伝送端末に送信する第１表示データ送信手段と、
前記画像データ及び／又は前記表示データを表示装置に表示する第１表示制御手段と、
前記情報提供装置が前記第１近距離通信手段により確立された通信経路を介してアクセス可能な記憶領域を提供し、当該記憶領域に、前記情報提供装置に前記表示データの取得機能を実現させるための表示データ取得プログラムを記憶した記憶手段と、
を備え、
前記情報提供装置は、
通信対象となる一の伝送端末の接近に伴い、当該伝送端末の前記第１近接通信手段との間で近接通信を確立し、前記接続設定情報を受信する第２近接通信手段と、
前記第２近接通信手段が受信した接続設定情報を用いて、前記第１近距離通信手段との間で無線通信を確立する第２近距離通信手段と、
表示装置に所定の画像を表示する第２表示制御手段と、
前記第２近距離通信手段により確立された通信経路を介してアクセス可能な前記伝送端末の記憶領域に記憶された表示データ取得プログラムの実行により、前記第２表示制御手段が表示中の画面を表した表示データを取得する表示データ取得手段と、
前記第２近距離通信手段により確立された通信経路を介して、前記表示データ取得手段が取得した表示データを送信する第２表示データ送信手段と、
を備えたことを特徴とする伝送システム。
【発明の詳細な説明】
【技術分野】
【０００１】
本発明は、伝送端末、表示データ送信方法、プログラム、情報提供装置及び伝送システムに関する。
【背景技術】
【０００２】
近年、インターネット等の通信ネットワークを介して会議等を行う通話システムが普及している。係る通話システムでは、カメラやマイク、スピーカ等を備えた通話端末が用いられる。この通話端末は、他の通話端末との間で通話（通信）を開始すると、各通話端末のカメラやマイクで取得された撮像データ（画像データ）や音データの送受信を行うことで、テレビ会議を実現できるよう構成されている。
【０００３】
また、上記の通話システムでは、通話相手との意思疎通を向上させるため、上記のデータに加えて、通話端末に表示したプレゼンテーション資料等の画面を表示データとして送受信することがある。そして、この表示データを受信した各通話端末では、当該表示データを表示装置に表示することで、各通話端末でプレゼンテーション資料等を共有することが可能となっている。例えば、特許文献１には、資料が表示された画面を装置間で共有する技術が開示されている。
【発明の概要】
【発明が解決しようとする課題】
【０００４】
ところで、利用者が普段使い慣れている携帯端末に上記のプレゼンテーション資料等を保存しておき、この携帯端末を携帯することで所望の会議拠点で資料を表示し、その表示データを共有するという利用方法が考えられる。しかしながら、従来の通話システムでは、利用者が携帯端末を用いて表示データを共有しようとした場合、各会議拠点においてネットワークの接続手続きを行う必要があるため、表示データの共有までの手続きが煩雑になるという問題がある。
【０００５】
例えば、利用者が外出して普段とは異なる拠点で携帯端末をテレビ会議に利用することを考える。この場合、利用者は外出先でＩＰアドレス、ゲートウェイアドレス、会議の共有先ＵＲＬ等種々の接続設定を行わねばならず、資料データの共有が開始できるようになるまでに手間と時間を要するという問題があった。なお、特許文献１に開示の技術では、資料データが表示された画面を装置間で共有することは可能であるが、様々な拠点で共有を開始させるためには種々の接続設定をその都度行わねばならないため、上述した問題を解決することはできない。
【０００６】
本発明は、上記に鑑みてなされたものであって、表示データの共有を容易に行うことが可能な伝送端末、表示データ送信方法、プログラム、情報提供装置及び伝送システムを提供することを目的とする。
【課題を解決するための手段】
【０００７】
上述した課題を解決し、目的を達成するために、本発明は、通信ネットワークに接続された他の伝送端末との間で、画像データを含む所定のデータの送受信を行うネットワーク通信手段と、所定の画像を表示する情報提供装置の接近に伴い、当該情報提供装置との間で近接通信を確立し、当該近接通信の通信方式よりも長距離での通信が可能な通信方式の通信確立に必要な接続設定情報を前記情報提供装置に送信する近接通信手段と、前記接続設定情報を用いて、前記近接通信手段よりも長距離での通信が可能な通信方式により、前記情報提供装置との間で無線通信を確立する近距離通信手段と、前記近距離通信手段により確立された通信経路を介して、前記情報提供装置で表示中の画面を表す表示データを受信する表示データ受信手段と、前記表示データ受信手段が受信した前記表示データを、前記ネットワーク通信手段を用いて前記他の伝送端末に送信する表示データ送信手段と、前記画像データ及び／又は前記表示データを表示装置に表示する表示制御手段と、前記情報提供装置が前記近距離通信手段により確立された通信経路を介してアクセス可能な記憶領域を提供し、当該記憶領域に、前記情報提供装置に前記表示データの取得機能を実現させるための表示データ取得プログラムを記憶した記憶手段と、を備える。
【０００８】
また、本発明は、ネットワーク通信手段が、通信ネットワークに接続された他の伝送端末との間で、画像データを含む所定のデータの送受信を行うネットワーク通信工程と、近接通信手段が、所定の画像を表示する情報提供装置の接近に伴い、当該情報提供装置との間で近接通信を確立し、当該近接通信の通信方式よりも長距離での通信が可能な通信方式の通信確立に必要な接続設定情報を前記情報提供装置に送信する近接通信工程と、近距離通信手段が、前記接続設定情報を用いて、前記近接通信手段よりも長距離での通信が可能な通信方式により、前記情報提供装置との間で無線通信を確立する近距離通信工程と、表示データ受信手段が、前記近距離通信工程で確立された通信経路を介して、前記情報提供装置で表示中の画面を表した表示データを受信する表示データ受信工程と、表示データ送信手段が、前記表示データ受信工程で受信した前記表示データを、前記ネットワーク通信手段を用いて前記他の伝送端末に送信する表示データ送信工程と、表示制御手段が、前記画像データ及び／又は前記表示データを表示装置に表示させる表示制御工程と、記憶手段が、前記情報提供装置が前記近距離通信手段により確立された通信経路を介してアクセス可能な記憶領域を提供し、当該記憶領域に、前記情報提供装置に前記表示データの取得機能を実現させるための表示データ取得プログラムを記憶した記憶工程と、を含む。
【０００９】
また、本発明は、コンピュータを、通信ネットワークに接続された他の伝送端末との間で、画像データを含む所定のデータの送受信を行うネットワーク通信手段と、所定の画像を表示する情報提供装置の接近に伴い、当該情報提供装置との間で近接通信を確立し、当該近接通信の通信方式よりも長距離での通信が可能な通信方式の通信確立に必要な接続設定情報を前記情報提供装置に送信する近接通信手段と、前記接続設定情報を用いて、前記近接通信手段よりも長距離での通信が可能な通信方式により、前記情報提供装置との間で無線通信を確立する近距離通信手段と、前記近距離通信手段により確立された通信経路を介して、前記情報提供装置で表示中の画面を表す表示データを受信する表示データ受信手段と、前記表示データ受信手段が受信した前記表示データを、前記ネットワーク通信手段を用いて前記他の伝送端末に送信する表示データ送信手段と、前記画像データ及び／又は前記表示データを表示装置に表示させる表示制御手段と、前記情報提供装置が前記近距離通信手段により確立された通信経路を介してアクセス可能な記憶領域を提供し、当該記憶領域に、前記情報提供装置に前記表示データの取得機能を実現させるための表示データ取得プログラムを記憶した記憶手段と、して機能させる。
【００１０】
また、本発明は、伝送端末の接近に伴い、当該伝送端末との間で近接通信を確立し、当該近接通信の通信方式よりも長距離での通信が可能な通信方式の通信確立に必要な接続設定情報を当該伝送端末から受信する近接通信手段と、前記接続設定情報を用いて、前記近接通信手段よりも長距離での通信が可能な通信方式により、前記伝送端末との間で無線通信を確立する近距離通信手段と、表示装置に所定の画像を表示する表示制御手段と、前記表示制御手段が表示中の画像を表した表示データを取得する表示データ取得手段と、前記近距離通信手段により確立された通信経路を介して、前記表示データ取得手段が取得した前記表示データを前記伝送端末に送信する表示データ送信手段と、を備え、前記表示データ取得手段は、前記近距離通信手段により確立された通信経路を介してアクセス可能な前記伝送端末の記憶領域に記憶された表示データ取得プログラムの実行により、実現される。
【００１１】
また、本発明は、近接通信手段が、伝送端末の接近に伴い、当該伝送端末との間で近接通信を確立し、当該近接通信の通信方式よりも長距離での通信が可能な通信方式の通信確立に必要な接続設定情報を当該伝送端末から受信する近接通信工程と、近距離通信手段が、前記接続設定情報を用いて、前記近接通信手段よりも長距離での通信が可能な通信方式により、前記伝送端末との間で無線通信を確立する近距離通信工程と、表示制御手段が、表示装置に所定の画像を表示する表示制御工程と、表示データ取得手段が、前記近距離通信工程により確立された通信経路を介してアクセス可能な前記伝送端末の記憶領域に記憶された表示データ取得プログラムの実行により、前記表示制御工程で表示中の画像を表した表示データを取得する表示データ取得工程と、表示データ送信手段が、前記近距離通信工程で確立された通信経路を介して、前記表示データ取得工程で取得された前記表示データを前記伝送端末に送信する表示データ送信工程と、を含む。
【００１２】
また、本発明は、コンピュータを、伝送端末の接近に伴い、当該伝送端末との間で近接通信を確立し、当該近接通信の通信方式よりも長距離での通信が可能な通信方式の通信確立に必要な接続設定情報を当該伝送端末から受信する近接通信手段と、前記接続設定情報を用いて、前記近接通信手段よりも長距離での通信が可能な通信方式により、前記伝送端末との間で無線通信を確立する近距離通信手段と、表示装置に所定の画像を表示する表示制御手段と、前記近距離通信手段により確立された通信経路を介してアクセス可能な前記伝送端末の記憶領域に記憶された表示データ取得プログラムの実行により、前記表示制御手段が表示中の画像を表した表示データを取得する表示データ取得手段と、前記近距離通信手段により確立された通信経路を介して、前記表示データ取得手段が取得した前記表示データを前記伝送端末に送信する表示データ送信手段と、して機能させる。
【００１３】
また、本発明は、画像データを含む所定のデータの送受信を行う通信ネットワークに接続された複数の伝送端末と、所定の画像を表示する情報提供装置とを有した伝送システムであって、前記伝送端末の各々は、前記通信ネットワークに接続された他の伝送端末との間で前記所定のデータの送受信を行うネットワーク通信手段と、前記情報提供装置の接近に伴い、当該情報提供装置との間で近接通信を確立し、当該近接通信の通信方式よりも長距離での通信が可能な通信方式の通信確立に必要な接続設定情報を前記情報提供装置に送信する第１近接通信手段と、前記接続設定情報を用いて、前記第１近接通信手段よりも長距離での通信が可能な通信方式により、前記情報提供装置との間で無線通信を確立する第１近距離通信手段と、前記第１近距離通信手段により確立された通信経路を介して、前記情報提供装置で表示中の画面を表す表示データを受信する表示データ受信手段と、前記表示データ受信手段が受信した前記表示データを、前記ネットワーク通信手段を用いて他の伝送端末に送信する第１表示データ送信手段と、前記画像データ及び／又は前記表示データを表示装置に表示する第１表示制御手段と、前記情報提供装置が前記第１近距離通信手段により確立された通信経路を介してアクセス可能な記憶領域を提供し、当該記憶領域に、前記情報提供装置に前記表示データの取得機能を実現させるための表示データ取得プログラムを記憶した記憶手段と、を備え、前記情報提供装置は、通信対象となる一の伝送端末の接近に伴い、当該伝送端末の前記第１近接通信手段との間で近接通信を確立し、前記接続設定情報を受信する第２近接通信手段と、前記第２近接通信手段が受信した接続設定情報を用いて、前記第１近距離通信手段との間で無線通信を確立する第２近距離通信手段と、表示装置に所定の画像を表示する第２表示制御手段と、前記第２近距離通信手段により確立された通信経路を介してアクセス可能な前記伝送端末の記憶領域に記憶された表示データ取得プログラムの実行により、前記第２表示制御手段が表示中の画面を表した表示データを取得する表示データ取得手段と、前記第２近距離通信手段により確立された通信経路を介して、前記表示データ取得手段が取得した表示データを送信する第２表示データ送信手段と、を備える。
【発明の効果】
【００１４】
本発明によれば、情報提供装置の表示画面（表示データ）を各伝送端末で共有する際に、情報提供装置を所望の伝送端末に近接させることで当該伝送端末を経由して他の伝送端末に表示データを配信することができるため、表示データの共有を容易に行うことが可能となる。
【図面の簡単な説明】
【００１５】
【図１】図１は、本実施形態に係る伝送システムの構成の一例を示す図である。
【図２】図２は、伝送端末のハードウェア構成の一例を示す図である。
【図３】図３は、情報提供装置のハードウェア構成の一例を示す図である。
【図４】図４は、伝送端末及び情報提供装置の機能構成を示すブロック図である。
【図５】図５は、伝送端末の記憶部に記憶された管理テーブルの一例を示す図である。
【図６】図６は、伝送端末の記憶部に記憶された認証テーブルの一例を示す図である。
【図７】図７は、伝送端末と情報提供装置とを接続する無線通信の通信範囲を説明するための図である。
【図８】図８は、伝送端末のディスプレイに表示された表示画面の一例を示す図である。
【図９】図９は、伝送端末のディスプレイに表示された表示画面の一例を示す図である。
【図１０】図１０は、伝送端末のディスプレイに表示された表示画面の一例を示す図である。
【図１１】図１１は、情報提供装置のディスプレイに表示されたログイン画面の一例を示す図である。
【図１２】図１２は、情報提供装置のディスプレイに表示されたナビゲーション画面の一例を示す図である。
【図１３】図１３は、伝送端末の表示データ取得プログラムが情報提供装置により起動されるまでの処理の手順を説明するための図である。
【図１４】図１４は、情報提供装置のディスプレイに表示されたエラー画面の一例を示す図である。
【図１５−１】図１５−１は、情報提供装置のディスプレイに表示された表示画面の一例を示す図である。
【図１５−２】図１５−２は、情報提供装置のディスプレイに表示された表示画面の一例を示す図である。
【図１６】図１６は、情報提供装置から表示データを送信する際の処理の手順を説明するための図である。
【図１７−１】図１７−１は、情報提供装置のディスプレイに表示された表示画面の一例を示す図である。
【図１７−２】図１７−２は、情報提供装置のディスプレイに表示された表示画面の一例を示す図である。
【図１８】図１８は、表示データの送信元を切り替える際の処理の手順を説明するための図である。
【図１９】図１９は、表示データの送信を停止する際の処理の手順を説明するための図である。
【発明を実施するための形態】
【００１６】
以下、添付図面を参照して、本発明に係る伝送端末、表示データ送信方法、プログラム、情報提供装置及び伝送システムの実施形態を詳細に説明する。なお、本発明は図面に示される実施形態に限定されるものではない。
【００１７】
図１は、本実施形態に係る伝送システムの構成の一例を示す図である。まずは図１を用いて、本実施形態の概略を説明する。なお、本実施形態では、距離的に離れた場所間で遠隔会議を行うことが可能な伝送システムについて説明する。
【００１８】
伝送システムには、伝送管理システムを介して一方の伝送端末から他方の伝送端末に一方向でコンテンツデータを伝送するデータ提供システムや、伝送管理システムを介して複数の伝送端末間で情報や感情等を相互に伝達するコミュニケーションシステムが含まれる。このコミュニケーションシステムは、コミュニケーション管理システム（「伝送管理システム」に相当）を介して複数のコミュニケーション端末（「伝送端末」に相当）間で情報や感情等を相互に伝達するためのシステムであり、テレビ会議システムやテレビ電話システム、音声会議システム、音声電話システム、ＰＣ（Personal  Computer）画面共有システム等が例として挙げられる。
【００１９】
本実施形態では、コミュニケーションシステムの一例としてのテレビ会議システム、コミュニケーション管理システムの一例としてのテレビ会議管理システム、及びコミュニケーション端末の一例としてのテレビ会議端末を想定した上で、伝送システム、伝送管理システム、及び伝送端末について説明する。即ち、本発明の伝送端末及び伝送管理システムは、テレビ会議システムに適用されるだけでなく、コミュニケーションシステム又は伝送システムにも適用される。
【００２０】
図１に示す伝送システム１は、複数の伝送端末（１０ａａ、１０ａｂ、１０ｂａ、１０ｂｂ、１０ｃａ、１０ｃｂ、１０ｄａ、１０ｄｂ）、各伝送端末用のディスプレイ（１３０ａａ、１３０ａｂ、１３０ｂａ、１３０ｂｂ、１３０ｃａ、１３０ｃｂ、１３０ｄａ、１３０ｄｂ）、伝送端末と協働し情報の提供を行う情報提供装置（３０ａ、３０ｂ、３０ｃ、３０ｄ）、中継装置（４０ａ、４０ｂ、４０ｃ、４０ｄ）、及び伝送管理システム５０、ルータ（６０ａ、６０ｂ、６０ａｂ、６０ｃ、６０ｄ、６０ｃｄ）及びプログラム提供システム７０を有している。
【００２１】
本実施形態では、伝送端末（１０ａａ、１０ａｂ…）のうち任意の伝送端末を示す場合には「伝送端末１０」を用い、ディスプレイ（１３０ａａ、１３０ａｂ…）のうち任意のディスプレイを示す場合には「ディスプレイ１３０」を用い、情報提供装置のうち任意の情報提供装置を示す場合には「情報提供装置３０」を用い、中継装置（４０ａ、４０ｂ、４０ｃ、４０ｄ）のうち任意の中継装置を示す場合には「中継装置４０」を用い、ルータ（６０ａ、６０ｂ、６０ｃ…）のうち任意のルータを示す場合には「ルータ６０」を用いて表記する。なお、各端末や装置の個数は、図１の例に限定されないものとする。
【００２２】
伝送端末１０は、他の伝送端末１０との間で通話を行うために、画像データ（後述する撮像データ、表示データ）や音データ等の会議情報の送受信を行う。即ち、本実施形態における通話には、音データの送受信だけでなく、画像データの送受信も含まれる。
【００２３】
ここで、会議情報とは、伝送端末１０を用いて行われる通話（遠隔会議）の場において、当該会議の参加者に提示される物（例えば商品見本）、参加者の人物像、配布される書類、及び配布はされないがプロジェクター等の表示装置によって伝送端末１０のディスプレイ１３０以外に表示される資料画像等が含まれる。このように会議情報とは、直接対面して行うとした場合の会議の場において参加者が把握できる情報を意味する。なお、会議情報は、画像データ及び音データの両方であってもよいし、少なくともこれらの一つであればよい。例えば、画像データだけの場合には出席者の音声を画像中に字幕として表してもよい。なお、本実施形態では、画像データの画像が動画の場合について説明するが、静止画であってもよいし、動画と静止画の両方が含まれてもよい。
【００２４】
情報提供装置３０は、例えば、携帯することが可能な携帯電話機、ノートＰＣ（Personal  Computer）、スマートフォン等の携帯型デバイスである。情報提供装置３０は、通信可能な距離の異なる二種類の通信方法を用いて伝送端末１０と通信し、当該情報提供装置３０が備える後述するディスプレイ３０６に表示された画面を表す表示データを伝送端末１０に送信（提供）する。ここで、画面表示は、情報提供装置３０に予め導入された所定のソフトウェアプログラム（例えば、文書作成ソフトウェア、表計算ソフトウェア、プレゼンテーション用ソフトウェア等）を、情報提供装置３０で実行することによって行われる。なお、画面とは、情報提供装置３０の後述するディスプレイ３０６に表示された静止画や動画のデータを意味する。また、図１では、各拠点（事業所）に一つの情報提供装置３０を設けているが、情報提供装置３０の利用者（所持者）が移動することで、何れの拠点の伝送端末１０とも接続させることが可能であるとする。
【００２５】
中継装置４０は、伝送端末１０間の通信を中継する中継装置である。具体的に、中継装置４０は、伝送端末１０を用いて行われる通話（遠隔会議）において、複数の伝送端末１０の間で送受信される会議情報を各伝送端末１０に中継する。また、中継装置４０は、伝送端末１０の通話相手となる他の伝送端末１０との間で撮像データ等の会議情報の受信に遅延が生じた場合に、画像データの解像度を変更して情報量を低減してから、相手先の伝送端末１０へ画像データを送信する。これにより遅延を解消し会議と会議情報通信の同時性を確保する。なお、遅延量に応じた解像度の変更方法については、公知の技術を用いることが可能である。
【００２６】
伝送管理システム５０は、伝送端末１０及び中継装置４０を一元的に管理する。具体的に、伝送管理システム５０は、伝送端末１０及び中継装置４０の通信状況を一元的に管理する。例えば、伝送管理システム５０は、伝送端末１０及び中継装置４０と遣り取りを行い、伝送端末１０の伝送システム１への登録管理、伝送端末１０の端末ＩＤ及びＩＰアドレスの管理、使用についての課金管理、各伝送端末１０が通信可能な他の伝送端末１０の通知、各伝送端末１０の使用状況の把握等を行う。そして、伝送管理システム５０は、必要に応じて各伝送端末１０の状況（未接続、ログイン中、会議中など）を他の各伝送端末１０に通知する。
【００２７】
ルータ６０は、ネットワーク間を相互接続するルータ装置であって、会議情報（画像データ及び音データ）の送受信に最適な経路の選択を行う。
【００２８】
プログラム提供システム７０は、伝送端末１０に各種機能を実現させる又は伝送端末１０を各種手段として機能させるための伝送端末用プログラムが記憶された、図示しないＨＤ（Hard  Disk）を備えており、伝送端末１０に伝送端末用プログラムを送信することができる。また、プログラム提供システム７０のＨＤには、情報提供装置３０に各種機能を実現させる又は情報提供装置３０を各種手段として機能させるための情報提供装置用プログラムも記憶されており、情報提供装置３０に、情報提供装置用プログラムを送信することができる。また、プログラム提供システム７０のＨＤには、中継装置４０に各種機能を実現させる又は中継装置４０を各種手段として機能させるための中継装置用プログラムも記憶されており、中継装置４０に、中継装置用プログラムを送信することができる。更に、プログラム提供システム７０のＨＤには、伝送管理システム５０に各種機能を実現させる又は伝送管理システム５０を各種手段として機能させるための通話管理用プログラムも記憶されており、伝送管理システム５０に、通話管理用プログラムを送信することができる。
【００２９】
また、伝送端末（１０ａａ、１０ａｂ）、中継装置４０ａ、及びルータ６０ａは、ＬＡＮ２ａによって通信可能に接続されている。伝送端末（１０ｂａ、１０ｂｂ）、中継装置４０ｂ、及びルータ６０ｂは、ＬＡＮ２ｂによって通信可能に接続されている。また、ＬＡＮ２ａ及びＬＡＮ２ｂは、ルータ６０ａｂが含まれた専用線２ａｂによって通信可能に接続されており、所定の地域Ａ内で構築されている。例えば、地域Ａは日本であり、ＬＡＮ２ａは東京の事業所内で構築されており、ＬＡＮ２ｂは大阪の事業所内で構築されている。
【００３０】
一方、伝送端末（１０ｃａ、１０ｃｂ）、中継装置４０ｃ、及びルータ６０ｃは、ＬＡＮ２ｃによって通信可能に接続されている。伝送端末（１０ｄａ、１０ｄｂ）、中継装置４０ｄ、及びルータ６０ｄは、ＬＡＮ２ｄによって通信可能に接続されている。また、ＬＡＮ２ｃ及びＬＡＮ２ｄは、ルータ６０ｃｄが含まれた専用線２ｃｄによって通信可能に接続されており、所定の地域Ｂ内で構築されている。例えば、地域Ｂはアメリカであり、ＬＡＮ２ｃはニューヨークの事業所内で構築されており、ＬＡＮ２ｄはワシントンＤ．Ｃ．の事業所内で構築されている。地域Ａ及び地域Ｂは、それぞれルータ（６０ａｂ、６０ｃｄ）からインターネット２ｉを介して通信可能に接続されている。
【００３１】
また、伝送管理システム５０及びプログラム提供システム７０は、インターネット２ｉを介して、伝送端末１０及び中継装置４０と通信可能に接続されている。伝送管理システム５０及びプログラム提供システム７０は、地域Ａ又は地域Ｂに設置されていてもよいし、これら以外の地域に設置されていてもよい。
【００３２】
なお、本実施形態では、ＬＡＮ２ａ、ＬＡＮ２ｂ、専用線２ａｂ、インターネット２ｉ、専用線２ｃｄ、ＬＡＮ２ｃ及びＬＡＮ２ｄによって、本実施形態の通信ネットワーク２が構築されている。この通信ネットワーク２には、有線だけでなく無線による通信が行われる箇所があってもよい。
【００３３】
次に、上述した伝送端末１０及び外部情報判定部２０のハードウェア構成について説明する。まず、図２を参照して、伝送端末１０のハードウェア構成について説明する。
【００３４】
図２は、伝送端末１０のハードウェア構成の一例を示す図である。同図に示すように、伝送端末１０は、伝送端末１０全体の動作を制御するＣＰＵ（Central  Processing  Unit）１０１、各種プログラムを記憶したＲＯＭ（Read  Only  Memory）１０２、ＣＰＵ１０１のワークエリアとして使用されるＲＡＭ（Random  Access  Memory）１０３、ＣＰＵ１０１の制御に従ってフラッシュメモリ１０４に対する各種データの読み出し又は書き込みを制御するＳＳＤ（Solid  State  Drive）１０５、メモリカード等の記録メディア１０６に対する各種データの読み出し又は書き込みを制御するメディアドライブ１０７、伝送端末１０の宛先を選択する場合などに操作されるカーソル等の操作ボタン１０８、伝送端末１０の電源のＯＮ／ＯＦＦを切り替えるための電源スイッチ１０９、通信ネットワーク２を利用してデータ伝送をするためのネットワークＩ／Ｆ１１０を備えている。
【００３５】
また、伝送端末１０は、情報提供装置３０と各種データを送受信するための通信インタフェースとして、第１通信Ｉ／Ｆ１１１と第２通信Ｉ／Ｆ１１２とを備えている。ここで、第１通信Ｉ／Ｆ１１１は、ＮＦＣ（Near  Field  Communication）と呼ばれる非接触ＩＣ用無線通信規格に準拠した通信インタフェースであり、第２通信Ｉ／Ｆ１１２は、Ｂｌｕｅｔｏｏｔｈ（登録商標）通信規格に準拠した通信インタフェースである。
【００３６】
また、伝送端末１０は、会議の当事者等の映像を撮影し映像データを出力するカメラ１１３、カメラ１１３の駆動を制御し当該カメラ１１３で撮像された画像データの送受信を行うカメラＩ／Ｆ１１４を備えている。なお、カメラ１１３には、ＣＰＵ１０１の制御に従って被写体を撮像し画像データを得るＣＭＯＳ（Complementary  Metal  Oxide  Semiconductor）やＣＣＤ（Charge  Coupled  Device  Image  Sensor）等の撮像素子が内蔵されている。また、カメラ１１３は、ＵＳＢ（Universal  Serial  Bus）ケーブル等によってカメラＩ／Ｆ１１４に接続される。
【００３７】
また、伝送端末１０は、ＣＰＵ１０１の制御に従って、マイク１１５及びスピーカ１１６との間で音信号の入出力を処理する音入出力Ｉ／Ｆ１１７を備えている。ここで、マイク１１５及びスピーカ１１６は、ＵＳＢケーブル等によって音入出力Ｉ／Ｆ１１７に接続される。なお、マイク１１５で集音対象となる音は、自己の伝送端末１０周辺の音（例えば、自己の伝送端末１０の操作者等の音声）等であり、スピーカ１１６で出力対象となる音は、他の伝送端末１０から送信された音（例えば、他の伝送端末１０の操作者の音声等）である。
【００３８】
また、伝送端末１０は、ＣＰＵ１０１の制御に従って、ディスプレイ１３０に画像データを送信するディスプレイＩ／Ｆ１１８を有している。ディスプレイ１３０は、ケーブル１３０ｃによってディスプレイＩ／Ｆ１１８に接続される。このケーブル１３０ｃは、アナログＲＧＢ（ＶＧＡ）信用用ケーブであってもよいし、コンポーネントビデオ用のケーブルであってもよいし、ＨＤＭＩ（High-Definition  Multimedia  Interface）やＤＶＩ（Digital  Video  Interactive）信号用のケーブルであってもよい。
【００３９】
なお、本実施形態では、ディスプレイＩ／Ｆ１１８にディスプレイ１３０を接続する形態としたが、これに限らず、プロジェクタ装置等の投影装置を含む映像出力機器と接続することが可能である。
【００４０】
また、伝送端末１０は、外部機器を接続するための外部機器接続Ｉ／Ｆ１１９を有している。外部機器接続Ｉ／Ｆ１１９には、ＵＳＢ（Universal  Serial  Bus）ケーブル等によって外付けカメラ、外付けマイク及び外付けスピーカ等の外部機器がそれぞれ接続可能である。外付けカメラが接続された場合には、ＣＰＵ１０１の制御に従って、内蔵型のカメラ１１３に優先して、外付けカメラが駆動する。同じく、外付けマイクが接続された場合や、外付けスピーカが接続された場合には、ＣＰＵ１０１の制御に従って、それぞれが内蔵型のマイク１１５や内蔵型のスピーカ１１６に優先して、外付けマイクや外付けスピーカが駆動する。
【００４１】
更に、伝送端末１０は、上記各構成要素を図２に示されているように電気的に接続するためのアドレスバスやデータバス等のバスライン１２０を備えている。
【００４２】
なお、記録メディア１０６は、伝送端末１０に対して着脱自在な構成となっている。また、ＣＰＵ１０１の制御に従ってデータの読み出し又は書き込みを行う不揮発性メモリであれば、フラッシュメモリ１０４に限らず、例えばＥＥＰＲＯＭ（Electrically  Erasable  and  Programmable  ROM）等を用いてもよい。また、ディスプレイ１３０は、被写体の画像や操作用アイコン等を表示する液晶や有機ＥＬによって構成された表示部である。
【００４３】
また、伝送端末１０で実行される伝送端末用プログラムは、インストール可能な形式又は実行可能な形式のファイルで、上記記録メディア１０６等のコンピュータで読み取り可能な記録媒体に記録して流通させるようにしてもよい。また、伝送端末用プログラムを、フラッシュメモリ１０４ではなくＲＯＭ１０２に記憶してもよい。また、ネットワークＩ／Ｆ１１０を経由して同プログラムをプログラム提供システム７０からダウンロードさせ、フラッシュメモリ１０４や記録メディア１０６に記録させるようにしてもよい。
【００４４】
次に、図３を参照して、情報提供装置３０のハードウェア構成について説明する。図３は、情報提供装置３０のハードウェア構成の一例を示す図である。同図に示すように、情報提供装置３０は、情報提供装置３０全体の動作を制御するＣＰＵ３０１、ＣＰＵ３０１の駆動に用いられる各種プログラムを記憶したＲＯＭ３０２、ＣＰＵ３０１のワークエリアとして使用されるＲＡＭ３０３、情報提供装置用プログラム等の各種データを記憶するＨＤ（Hard  Disk）３０４、ＣＰＵ３０１の制御に従って、ＨＤ３０４に対する各種データの読み出し又は書き込みを制御するＨＤＤ（Hard  Disk  Drive）３０５、カーソル、メニュー、ウィンドウ、文字又は画像等の各種表示情報を表示する液晶や有機ＥＬ等の表示デバイスで構成されるディスプレイ３０６、通信ネットワーク２を利用してデータ伝送をするためのネットワークＩ／Ｆ３０７、各種指示の選択や実行、処理対象の選択、カーソルの移動等を行う操作ボタン３０８、タッチパネルにより各種指示の選択や実行、処理対象の選択、カーソルの移動等を行う操作パネル３０９、フラッシュメモリ等の記録メディア３１０に対するデータの読み出し又は書き込みを制御するメディアドライブ３１１を備えている。
【００４５】
また、情報提供装置３０は、伝送端末１０と各種データを送受信するための通信インタフェースとして、第１通信Ｉ／Ｆ３１２と第２通信Ｉ／Ｆ３１３とを備えている。ここで、第１通信Ｉ／Ｆ３１２は、ＮＦＣ（Near  Field  Communication）と呼ばれる非接触ＩＣ用無線通信規格に準拠した通信インタフェースであり、第２通信Ｉ／Ｆ３１３は、Ｂｌｕｅｔｏｏｔｈ（登録商標）通信規格に準拠した通信インタフェースである。
【００４６】
更に、情報提供装置３０は、上記各構成要素を図３に示されているように電気的に接続するためのアドレスバスやデータバス等のバスライン３１４を備えている。また、記録メディア３１０は、情報提供装置３０に対して着脱自在な構成となっている。
【００４７】
なお、情報提供装置３０が実行する情報提供装置用プログラムは、インストール可能な形式又は実行可能な形式のファイルで、上記記録メディア３１０等のコンピュータで読み取り可能な記録媒体に記録して流通させるようにしてもよい。また、情報提供装置用プログラムは、ＨＤ３０４ではなくＲＯＭ３０２に記憶されるようにしてもよい。また、ネットワークＩ／Ｆ３０７を経由して同プログラムをプログラム提供システム７０からダウンロードさせ、ＨＤ３０４や記録メディア３１０等のコンピュータで読み取り可能な記録媒体に記録させるようにしてもよい。
【００４８】
また、中継装置４０、伝送管理システム５０及びプログラム提供システム７０は、何れもサーバ装置であって、上述した情報提供装置３０と同様のコンピュータ構成を有している（図示せず）。中継装置４０、伝送管理システム５０及びプログラム提供システム７０の各々が具備するＣＰＵは、自己の装置が具備する記憶媒体に記憶されたプログラムや、プログラム提供システム７０から提供されるプログラムを実行することにより、各装置の機能を実現している。
【００４９】
次に、上述した伝送端末１０及び情報提供装置３０の機能構成について説明する。図４は、伝送端末１０及び情報提供装置３０の機能構成を示すブロック図である。
【００５０】
図４に示すように、伝送端末１０は、送受信部１１、操作入力受付部１２、ログイン要求部１３、撮像部１４、音入力部１５、音出力部１６、表示制御部１７、絞込部１８、記憶・読出処理部１９、外部情報判定部２０、ＮＦＣ送受信部２１及びブルートゥース送受信部２２を有している。これら各部は、図２に示されている各構成要素の何れかが、ＲＡＭ１０３に展開された伝送端末用プログラムに従ったＣＰＵ１０１からの命令によって動作することで実現される機能又は機能される手段である。また、伝送端末１０は、図２に示したＳＳＤ１０５によって構築される記憶部２３を有している。
【００５１】
伝送端末１０の送受信部１１は、図２に示したＣＰＵ１０１からの命令、及び図２に示したネットワークＩ／Ｆ１１０によって実現され、通信ネットワーク２を介して他の端末、装置又はシステムと各種データ(情報)の送受信を行う。また、送受信部１１は、中継装置４０を介して会議相手となる他の伝送端末１０との間で通信が確立すると、この他の伝送端末１０の端末ＩＤを、記憶部２３に格納された後述する管理テーブル２３１に登録することで、通話相手（会議相手）となった伝送端末１０の端末ＩＤを管理する。なお、伝送端末１０の端末ＩＤは、例えば、各伝送端末１０に予め割り当てられたホストネームやＩＰアドレスであって、各伝送端末１０を識別可能な識別情報である。
【００５２】
操作入力受付部１２は、図２に示したＣＰＵ１０１からの命令、及び図２に示した操作ボタン１０８及び電源スイッチ１０９によって実現され、伝送端末１０の操作者による各種入力を受け付ける。例えば、操作者が、会議相手の伝送端末１０を選択する場合に、ディスプレイ１３０に表示された会議相手を選択するための選択用画面（図示せず）で、会議相手が使用する伝送端末１０をカーソルキーで選択し決定ボタンを押すと、その選択された伝送端末１０の端末ＩＤやＩＰアドレスを、会議相手として受け付ける。また、操作入力受付部１２では、画面に表示される画像データの配置や大きさ（レイアウト）を変更する場合に自己の伝送端末１０の操作者から操作ボタン１０８等を介して、その変更を指示する情報を受け付ける。
【００５３】
ログイン要求部１３は、図２に示したＣＰＵ１０１からの命令によって実現され、送受信部１１から通信ネットワーク２を介して伝送管理システム５０に、自己の伝送端末１０のログインを要求するログイン要求情報、及び自己の伝送端末１０の現時点でのＩＰアドレスを自動的に送信する。ここで、ログイン要求情報には、端末ＩＤが少なくとも含まれているものとし、伝送管理システム５０は、各伝送端末１０から送信されるログイン要求情報（端末ＩＤ）及びＩＰアドレスの管理を行う。なお、伝送管理システム５０に対するログイン要求情報及びＩＰアドレスの送信は、伝送端末１０の電源投入に伴い、自動的に行われるように設定されているものとする。
【００５４】
撮像部１４は、図２に示したＣＰＵ１０１からの命令、図２に示したカメラ１１３及びカメラＩ／Ｆ１１４によって実現され、被写体である出席者などの会議室の画像を撮影し、この撮影により得られた画像データを出力する。
【００５５】
音入力部１５は、図２に示したＣＰＵ１０１からの命令、及び図２に示した音入出力Ｉ／Ｆ１１７によって実現され、マイク１１５によって収集された伝送端末１０近傍の音を音信号に変換し音データを生成する。音出力部１６は、図２に示したＣＰＵ１０１からの命令、及び図２に示した音入出力Ｉ／Ｆ１１７によって実現され、他の伝送端末１０から送信された音データ等をスピーカ１１６に出力することで、スピーカ１１６から音を出力させる。
【００５６】
表示制御部１７は、図２に示したＣＰＵ１０１からの命令、及び図２に示したディスプレイＩ／Ｆ１１８によって実現され、ディスプレイ１３０に対して画像データや表示データを送信し、これらのデータを表示するための制御を行う。
【００５７】
絞込部１８は、図２に示したＣＰＵ１０１からの命令、及び図２に示したネットワークＩ／Ｆ１１０によって実現され、複数の中継装置４０から一つの中継装置４０に絞り込む処理を行う。具体的に、絞込部１８は、中継装置４０に所定の送信情報を送信した時点から、当該送信情報に対する応答情報（ＡＣＫ）を中継装置４０から受信するまでの所要時間（ｍｓｅｃ単位）を算出し、この所要時間のうち最短時間で中継された中継装置４０を、使用する中継装置４０として選択することで、複数の中継装置４０から一つの中継装置４０を選択する。
【００５８】
記憶・読出処理部１９は、図２に示したＣＰＵ１０１からの命令、及び図２に示したＳＳＤ１０５によって実行され、記憶部２３に各種データを記憶したり、記憶部２３に記憶された各種データを読み出す処理を行う。
【００５９】
記憶部２３には、会議相手となる他の伝送端末１０の端末ＩＤ（Identification）を管理するための管理テーブル２３１（図５参照）や、情報提供装置３０の利用可否を判定するための認証情報（利用者ＩＤ及びパスワード）を格納した認証テーブル２３２（図６参照）が記憶されている。また、記憶部２３には、自己の記憶部２３が情報提供装置３０にマウントされた際に、当該情報提供装置３０のＣＰＵ３０１により実行される、表示データ取得プログラム２３３やデータ送信用のドライバ等が記憶されている。なお、表示データ取得プログラム２３３は、情報提供装置３０において表示データ取得部３５を実現させるためのプログラムである。
【００６０】
ここで、図５は、記憶部２３に記憶された管理テーブル２３１の一例を示す図である。同図に示すように、管理テーブル２３１には、会議相手となる伝送端末１０の端末ＩＤが、データ番号と対応付けて登録されている。ここで、端末ＩＤを格納する欄には、会議相手の伝送端末１０の端末ＩＤ（伝送端末１０ａａ、伝送端末１０ｂａ、伝送端末１０ｃａ）が登録される。また、データ番号は、各端末ＩＤを管理するための管理番号であって、各端末ＩＤの伝送端末１０から配信された画像データ（撮像データ）を後述する表示領域に割り当てる際に用いられる。
【００６１】
また、図６は、記憶部２３に記憶された認証テーブル２３２の一例を示す図である。同図に示すように、認証テーブル２３２は、利用者ＩＤを格納する欄（利用者ＩＤ欄）とパスワードを格納する欄（パスワード欄）とから構成され、情報提供装置３０の正規利用者の利用者ＩＤとパスワードとが対応付けて格納されている。なお、情報提供装置３０の正規利用者には、利用者ＩＤ及びパスワードの組からなる認証情報が予め配布されているものとする。
【００６２】
図４に戻り、外部情報判定部２０は、図２に示したＣＰＵ１０１によって実現され、伝送端末１０の外部にある情報提供装置３０からデータの送受信があるか否かを判定する。
【００６３】
ＮＦＣ送受信部２１は、図２に示したＣＰＵ１０１からの命令、及び図２に示した第１通信Ｉ／Ｆ１１１によって実現され、ＮＦＣ規格の非接触通信により情報提供装置３０の後述するＮＦＣ送受信部３１との間で、非接触の通信（以下、ＮＦＣ通信という）を行う。
【００６４】
ここで、ＮＦＣ送受信部２１は、もう一つの通信手段である第２通信Ｉ／Ｆ１１２（ブルートゥース送受信部２２）と比較して短い距離、具体的には通信距離が最大１０ｃｍ程度の非接触無線通信により、データを送受信する。ＮＦＣ送受信部２１によるＮＦＣ規格の非接触通信では、そのデータ転送速度（最大４２４ｋｂｐｓ）がブルートゥース送受信部２２によるＢｌｕｅｔｏｏｔｈ（登録商標）通信規格の無線通信のデータ転送速度（最大２４Ｍｂｐｓ）よりも遅いため、比較的小容量のデータの通信に用いるものとする。なお、ＮＦＣ送受信部２１は、通信規格をＮＦＣに限る必要はなく、比較的近距離、すなわち後述するＢｌｕｅｔｏｏｔｈ（登録商標）通信規格の無線通信の通信範囲より狭い通信範囲での無線通信が可能であれば他の通信規格の通信インタフェースを第１通信Ｉ／Ｆ１１１とすすることで、他の通信規格に応じた機能部を実現してもよい。
【００６５】
ＮＦＣ送受信部２１は、情報提供装置３０がＮＦＣ送受信部２１の通信圏内に接近した場合に、当該情報提供装置３０の後述するＮＦＣ送受信部３１とＮＦＣ通信を行い、このＮＦＣ送受信部３１から送信される認証情報を受信するとともに、Ｂｌｕｅｔｏｏｔｈ（登録商標）通信規格の無線通信（以下、ブルートゥース通信という）を確立するために必要な接続設定情報をＮＦＣ送受信部３１に送信する。ここで、接続設定情報とは、ブルートゥース送受信部２２での無線通信を行う際に必要となる情報であって、第２通信Ｉ／Ｆ１１２に割り当てられたＢＤ（Bluetooth  Device）アドレスやパスフレーズ等が含まれる。なお、接続設定情報は、ＮＦＣ送受信部２１が保持する形態としてもよいし、ＮＦＣ送受信部２１が第２通信Ｉ／Ｆ１１２から読み出す形態としてもよい。
【００６６】
ブルートゥース送受信部２２は、図２に示したＣＰＵ１０１からの命令、及び図２に示した第２通信Ｉ／Ｆ１１２によって実現され、近距離通信手段であるＢｌｕｅｔｏｏｔｈ（登録商標）通信規格により情報提供装置３０と無線で通信する。ブルートゥース送受信部２２は、ＮＦＣ規格の非接触通信方式であるＮＦＣ送受信部２１と比較して大容量（最大２４Ｍｂｐｓ）でデータの送受信を行う。また、ブルートゥース送受信部２２では、機器間の距離が１０〜１００ｍ程度で利用することができ、ＮＦＣ送受信部２１の通信範囲と比較し通信範囲が拡大している。
【００６７】
また、ブルートゥース送受信部２２は、情報提供装置３０との間でデータの送受信を行うのに際し、ＮＦＣ送受信部２１が情報提供装置３０に送信した接続設定情報を用いて、情報提供装置３０との間でブルートゥース通信を確立する。
【００６８】
なお、本実施形態では、第２通信Ｉ／Ｆ１１２として、Ｂｌｕｅｔｏｏｔｈ（登録商標）通信規格に準拠した通信Ｉ／Ｆを用いているが、これに限定されるものでなく、他の規格、例えば、ＩＥＥＥ８０２．１１ａ／ＩＥＥＥ８０２．１１ｂ規格のＷｉＦｉ（Wireless  Fidelity）方式の通信Ｉ／Ｆを用いてもよい。この場合、データの送受信を担うＩＥＥＥ８０２．１１ａ／ｂ／ｇ／ｎ規格のネットワークボードと、ＩＥＥＥ８０２．１１ａ／ｂ／ｇ／ｎによる無線通信の確立やデータの送受信を制御する通信制御部（通信制御プログラム）とで、ブルートゥース送受信部２２に相当するＷｉＦｉ送受信部を構成すればよい。
【００６９】
また、ＵＷＢ（Ultra  Wide  Band）通信方式で機器間の距離が３ｍ以内なら優先のＵＳＢ２．０と同等の４８０Ｍｂｐｓでの通信が可能なＷｉｒｅｌｅｓｓ  ＵＳＢ規格で無線通信を行うように構成することができる。この場合には、データの送受信を担うＷｉｒｅｌｅｓｓ  ＵＳＢ規格のＵＳＢデバイスと、ＵＷＢ通信方式による無線通信の確立やデータの送受信を制御する通信制御部（通信制御プログラム）とで、ブルートゥース送受信部２２に相当するＷｉｒｅｌｅｓｓ  ＵＳＢ送受信部を構成すればよい。
【００７０】
次に、情報提供装置３０について説明する。情報提供装置３０は、図４に示されているように、ＮＦＣ送受信部３１、ブルートゥース送受信部３２、操作入力受付部３３、表示制御部３４、表示データ取得部３５、表示データ通信部３６及び記憶・読出処理部３７を有している。これら各部は、図３に示されている各構成要素の何れかが、ＲＡＭ３０３に展開された情報提供装置用プログラムに従ったＣＰＵ３０１からの命令によって動作することで実現される機能又は機能される手段である。また、情報提供装置３０は、図３に示されているＨＤＤ３０５によって構築される記憶部３８を有している。
【００７１】
ＮＦＣ送受信部３１は、図３に示したＣＰＵ３０１からの命令、及び図３に示した第１通信Ｉ／Ｆ３１２によって実現され、ＮＦＣ規格の非接触通信（以下、ＮＦＣ通信という）により伝送端末１０のＮＦＣ送受信部２１と非接触で通信する。
【００７２】
また、ＮＦＣ送受信部３１は、自己の情報提供装置３０が伝送端末１０のＮＦＣ送受信部２１の通信圏内に接近すると、当該伝送端末１０のＮＦＣ送受信部２１との間でＮＦＣ通信を確立し、各種データ（情報）の送受信を行うようになっている。具体的に、ＮＦＣ送受信部３１は、伝送端末１０のＮＦＣ送受信部２１との間でＮＦＣ通信を確立すると、自己の装置の利用者により入力された認証情報を伝送端末１０に送信したり、当該伝送端末１０のＮＦＣ送受信部２１が保持する接続設定情報を受信したりする。なお、本実施形態では、情報提供装置３０の利用者により当該情報提供装置３０に入力された認証情報を、通信先となる伝送端末１０に返送することで、当該伝送端末１０に認証情報の認証を実行させる。
【００７３】
ブルートゥース送受信部３２は、図３に示したＣＰＵ３０１からの命令、及び図３に示した第２通信Ｉ／Ｆ３１３によって実現され、伝送端末１０のブルートゥース送受信部２２との通信が確立した場合は、後述する表示データ取得部３５が取得した表示データを伝送端末１０に送信する。また、ブルートゥース送受信部３２は、伝送端末１０から表示データの共有状態を示す情報などを受信する。
【００７４】
ここで、図７は、伝送端末１０と情報提供装置３０とを接続する無線通信の通信範囲を説明するための図である。同図において、２点鎖線で示す通信範囲Ａ１１がＮＦＣ規格での通信範囲、即ちＮＦＣ送受信部２１及びＮＦＣ送受信部３１との通信が可能な近接無線通信範囲を表している。また、破線で示す通信範囲Ａ１２が、Ｂｌｕｅｔｏｏｔｈ（登録商標）通信規格での通信範囲、即ちブルートゥース送受信部２２及びブルートゥース送受信部３２との通信が可能な近距離無線通信範囲を示している。このように、通信範囲Ａ１２は通信範囲Ａ１１に比べて通信が可能な範囲が大きくなっており、より長距離での通信が可能となっている。
【００７５】
上述したように、ＮＦＣ送受信部２１及びＮＦＣ送受信部３１は、通信範囲Ａ１１内に入ると自動的にＮＦＣ通信を確立し認証情報や接続設定情報の授受を行う。この後、伝送端末１０にて認証情報が受理されると、ブルートゥース送受信部２２及びブルートゥース送受信部３２は、先に交換された接続設定情報を用いてブルートゥース通信を確立する。
【００７６】
このように、データの送受信が容易なＮＦＣ通信によって、伝送端末１０と情報提供装置３０との間のブルートゥース通信に必要な接続設定情報を交換する。また、情報提供装置３０の利用者は、伝送端末１０に情報提供装置３０を近付けるだけで両装置のブルートゥース通信の確立に必要な情報を授受できる。これにより、特別な操作をすることなく通信相手である伝送端末１０を特定でき、ブルートゥース通信が可能となるため利便性を向上させることができる。
【００７７】
図４に戻り、操作入力受付部３３は、図３に示したＣＰＵ３０１からの命令、及び図３に示した操作ボタン３０８、操作パネル３０９によって実現され、利用者の操作による入力を受け付ける。
【００７８】
表示制御部３４は、図３に示したＣＰＵ３０１からの命令、及び図３に示したディスプレイ３０６によって実現され、カーソル、メニュー、ウィンドウ、文字又は画像等の各種情報をディスプレイ３０６に表示させる。
【００７９】
表示データ取得部３５は、図３に示したＣＰＵ３０１と、伝送端末１０の記憶部２３に記憶された表示データ取得プログラム２３３との協働によって実現され、表示制御部３４がディスプレイ３０６に表示させる各種情報に関する表示データを取得するものである。
【００８０】
表示データ通信部３６は、図３に示したＣＰＵ３０１からの命令、及び図３に示した第２通信Ｉ／Ｆ３１３によって実現され、表示データ取得部３５が取得した表示データを、ブルートゥース送受信部３２を介して伝送端末１０に送信する。また、表示データ通信部３６は、伝送端末１０から状態の変化に応じて送信される各種情報を受信する。
【００８１】
記憶・読出処理部３７は、図３に示したＣＰＵ３０１からの命令、及び図３に示したＨＤＤ３０５によって実現され、記憶部３８に各種データを記憶したり、記憶部３８に記憶された各種データを読み出したりする処理を行う。この記憶部３８には、会議中に共有させる資料等のデータ（以下、資料データという）や、この資料データを表示させるための各種プログラム（ワードプロセッサ、スプレッドシート、プレゼンテーション）等が予め記憶されている。
【００８２】
次に、以上に述べた伝送システム１の伝送端末１０のディスプレイ１３０に表示されるデータについて説明する。遠隔会議の場において、伝送端末１０のディスプレイ１３０上に表示されるデータとしては、カメラ１１３により撮像された撮像データと、情報提供装置３０から送信される表示データとが挙げられる。ここで、撮像データは、自己及び他の伝送端末１０のカメラ１１３で撮像された画像データを意味する。また、表示データは、情報提供装置３０のディスプレイ３０６に表示されている画面を表すものである。
【００８３】
図８は、伝送端末１０のディスプレイ１３０に表示された表示画面の一例を示す図である。同図では一の画面を４つの領域に区分けした例を示しており、画面左部から中央にかけての大領域（第１表示領域）を表示領域Ａ２１、画面右上部から右下部にかけての小領域（第２表示領域）をそれぞれ表示領域Ａ２２から表示領域Ａ２４としている。図８の画面構成の場合、例えば、表示領域Ａ２１には、会議の参加者がマイク１１５に向かって発話中の伝送端末１０の撮像データが割り当てられる。以下、この処理について説明する。
【００８４】
まず、各伝送端末１０のＣＰＵ１０１では、音入力部１５を介して入力された自己の伝送端末１０の操作者の発話区間を検出し、この区間が検出されたときに、自己の伝送端末１０の端末ＩＤを、中継装置４０を介して他の伝送端末１０に向けて送信する。この端末ＩＤを各伝送端末１０が受信すると、各伝送端末１０の表示制御部１７は、図４に示した管理テーブル２３１を参照し、この端末ＩＤに合致するデータ番号を特定する。そして、表示制御部１７は、特定したデータ番号に対応付けられた端末ＩＤの伝送端末１０から受信した撮像データを、表示領域Ａ２１に割り当てて表示する。また、表示制御部１７は、他のデータ番号に対応付けられた端末ＩＤの伝送端末１０から受信した撮像データを、表示領域Ａ２２から順に割り当てて表示する。これにより、現在発話中の伝送端末１０の撮像データが、表示画面の中央に近い位置に配置され且つ他よりも大きく表示されるため、発話中の参加者の視認性を向上させるとともに強調して表示することができる。なお、表示領域Ａ２２〜表示領域Ａ２４へのデータ番号の割当順序は特に問わず、例えば、昇順又は降順にソートする形態としてもよい。
【００８５】
また、情報提供装置３０から表示データが送信された場合、表示制御部１７は、図９に示すように、この表示データを表示領域Ａ２１に割り当てて表示するとともに、各伝送端末１０の撮像データを表示領域Ａ２２から順に割り当てて表示する。これにより、表示データが表示画面の中央に近い位置に配置されて且つ他よりも大きく表示されるため、プレゼンテーション資料等の視認性を向上させるとともに強調して表示することができる。
【００８６】
さらに、上記に述べた表示例を次のように変形させてもよい。情報提供装置３０から表示データが送信されているときは、図１０のように表示データを画面全体（表示領域Ａ２）に割り当てることで、表示データを画面全体に表示させる。そして、利用者により伝送端末１０の所定のボタン（例えばカーソルキー）が押下され、操作入力受付部１２によりこの所定のボタンの入力が受け付けられると、表示制御部１７は図８の画面に切り替える。以後、利用者が所定のボタンを押下する毎に図１０→図８→…というように表示画面を交互に切り替える。この形態により、資料データを表示しているときでも、状況に応じて他の伝送端末１０から送信された撮像データ、つまり他拠点の人物を確認することが可能となる。
【００８７】
次に、図１１〜図１４を参照し、他の伝送端末１０と接続状態にある伝送端末１０に、情報提供装置３０を接続する際の動作について説明する。
【００８８】
まず、情報提供装置３０では、操作入力受付部３３により自己の装置の利用を開始する所定の操作が受け付けられると、表示制御部３４は、図１１に示すようなログイン画面をディスプレイ３０６に表示する。ここで、領域Ａ３１及び領域Ａ３２は、認証情報（利用者ＩＤ、パスワード）を入力するための領域である。なお、詳細な処理の流れは後述するが、この情報提供装置３０と接続を行う伝送端末１０の認証テーブル２３２に登録された認証情報が領域Ａ３１及び領域Ａ３２に入力されることで、当該情報提供装置３０の表示データ取得部３５の機能が利用できるよう構成されている。
【００８９】
また、ＯＫボタンＢ１１は、領域Ａ３１及び領域Ａ３２に入力された認証情報を、情報提供装置３０のＣＰＵ３０１（操作入力受付部３３）に通知することを指示するためのボタンである。なお、クリアボタンＢ１２は、領域Ａ３１及び領域Ａ３２に入力された認証情報のクリアを指示するためのボタンであり、クリアボタンＢ１２が押下されると表示制御部３４により、領域Ａ３１及び領域Ａ３２に入力された認証情報がクリアされる。
【００９０】
情報提供装置３０の利用者により、情報提供装置３０の操作ボタン３０８や操作パネル３０９を介して領域Ａ３１及び領域Ａ３２に認証情報が入力され、その後、ＯＫボタンＢ１１が押下されると、操作入力受付部３３は入力された認証情報を受け付ける。また、表示制御部３４は、ＯＫボタンＢ１１の押下に応じ、図１２に示すような、操作手順を案内するナビゲーション画面をディスプレイ３０６に表示する。なお、図１２のナビゲーション画面では、情報提供装置３０を伝送端末１０に接触させること、即ち伝送端末１０及び情報提供装置３０間でのＮＦＣ通信の実行を促している。
【００９１】
ナビゲーション画面に従い、利用者が情報提供装置３０を伝送端末１０に接触（近接）させると、情報提供装置３０のＮＦＣ送受信部３１（第１通信Ｉ／Ｆ３１２）と伝送端末１０のＮＦＣ送受信部２１（第１通信Ｉ／Ｆ１１１）との間でＮＦＣ通信が確立する。また、表示制御部３４は、ＮＦＣ通信の確立に伴い、図１２の画面をディスプレイ３０６からクリアする。
【００９２】
情報提供装置３０のブルートゥース送受信部３２は、ＮＦＣ通信により得られた伝送端末１０の接続設定情報を用いて当該伝送端末１０のブルートゥース送受信部２２と通信し、伝送端末１０の記憶部２３のマウント処理を行う。そして、情報提供装置３０のＣＰＵ３０１は、記憶部２３のマウントに成功すると、この記憶部２３に記憶された表示データ取得プログラム２３３を実行することで、表示データ取得部３５を実現する。以下、図１３を参照して、伝送端末１０の表示データ取得プログラム２３３が情報提供装置３０により起動されるまでの処理の手順について説明する。
【００９３】
図１３は、伝送端末１０の表示データ取得プログラム２３３が情報提供装置３０により起動されるまでの処理の手順を説明するための図である。まず、情報提供装置３０と伝送端末１０との間でＮＦＣ通信が確立すると、情報提供装置３０のＮＦＣ送受信部３１は、操作入力受付部３３により利用者からの入力を受け付けた上述の認証情報を、伝送端末１０のＮＦＣ送受信部２１に送信する（ステップＳ１１）。
【００９４】
一方、伝送端末１０では、ＮＦＣ送受信部２１が認証情報を受信すると、外部情報判定部２０が記憶部２３に記憶された認証テーブル２３２を参照し、ＮＦＣ送受信部２１が受信した認証情報の認証(検証)を行う（ステップＳ１２）。具体的に、伝送端末１０の外部情報判定部２０は、情報提供装置３０から受信した認証情報に含まれる利用者ＩＤが、認証テーブル２３２の利用者ＩＤ欄に存在し、この利用者ＩＤ欄と同行のパスワード欄に格納されたパスワードが、認証情報に含まれるパスワードに一致するか否かを判定する。ＮＦＣ送受信部２１は、一致すると判定した場合、伝送端末１０のＮＦＣ送受信部２１から情報提供装置３０のＮＦＣ送受信部３１へ、認証を受理したことを示すＯＫ信号を送信する（ステップＳ１３）。
【００９５】
なお、外部情報判定部２０による認証の結果、認証テーブル２３２に登録された利用者ＩＤ及びパスワードとの一致を確認することができなかった場合、ＮＦＣ送受信部２１は、伝送端末１０のＮＦＣ送受信部２１から情報提供装置３０のＮＦＣ送受信部３１へ、認証を棄却したことを示すＮＧ信号を送信する。このＮＧ信号を受信した情報提供装置３０では、表示制御部３４が図１４に示すようなエラー画面を表示し、処理を終了する。
【００９６】
情報提供装置３０のＮＦＣ送受信部３１は、伝送端末１０のＮＦＣ送受信部２１からＯＫ信号を受信すると、このＮＦＣ送受信部２１が保持する接続設定情報、つまりブルートゥース通信に必要な第２通信Ｉ／Ｆ１１２（ブルートゥース送受信部２２）の接続設定情報を読み取る（ステップＳ１４）。
【００９７】
次いで、情報提供装置３０のブルートゥース送受信部３２は、ステップＳ１４でＮＦＣ送受信部３１が読み取った接続設定情報を用いて、Ｂｌｕｅｔｏｏｔｈ（登録商標）通信のための接続設定を行う（ステップＳ１５）。この接続設定に応じて、伝送端末１０のブルートゥース送受信部２２は、ブルートゥース送受信部３２との接続を開始し、接続結果が成功であればＯＫ信号をブルートゥース送受信部３２に送信する。また、伝送端末１０のブルートゥース送受信部２２は、接続結果が失敗であればＮＧ信号をブルートゥース送受信部３２に送信する。
【００９８】
情報提供装置３０では、ブルートゥース送受信部３２がＢｌｕｅｔｏｏｔｈ（登録商標）通信が可能な状態と判断すると、すなわちブルートゥース送受信部２２からＯＫ信号を受信すると、表示データ通信部３６はブルートゥース送受信部３２及びブルートゥース送受信部２２を介して伝送端末１０の記憶部２３にアクセスし、当該記憶部２３を情報提供装置３０のファイルシステム上にマウントする（ステップＳ１６）。なお、ブルートゥース送受信部２２からの接続結果がＮＧ信号であった場合、情報提供装置３０の表示制御部３４は、図１４に示すようなエラー画面を表示し、処理を終了する。
【００９９】
情報提供装置３０の表示データ通信部３６は、記憶部２３のマウントが完了すると、当該記憶部２３に記憶された表示データ取得プログラム２３３のファイルにアクセスし、この表示データ取得プログラム２３３を実行する（ステップＳ１７）。表示データ取得プログラム２３３が実行されると、情報提供装置３０側では表示データ取得部３５としての機能が実現され、情報提供装置３０の表示制御部３４が表示する表示データを取得することが可能となる。
【０１００】
なお、上記の例では図１１のログイン画面に示したように、情報提供装置３０の利用者に認証情報を手動で入力させる形態としたが、情報提供装置３０の出荷時などの段階でＮＦＣ送受信部３１が参照可能な記憶媒体に認証情報を予め記憶しておくことで、利用者が行う認証情報の入力を省略する形態としてもよい。この場合の手順は、上述のログイン画面の表示に係る処理を省略して処理を開始すればよい。
【０１０１】
以上のように、情報提供装置３０と伝送端末１０との接続時に認証を行い、この認証結果が棄却であった場合には、表示データ取得部３５の機能が実現されないので、表示データが不用意に伝送端末１０に送信されてしまうことを防止することができ、表示データが秘匿情報であった場合の漏洩を防止することができる。また、情報提供装置３０と伝送端末１０との接続が行われると、情報提供装置３０の表示データ通信部３６は、伝送端末１０の記憶部２３をマウントして表示データ取得プログラム２３３を実行するので、予め情報提供装置３０に同プログラムをインストールする必要がなくなり、会議の準備に係る利用者の負担を軽減できる。また、情報提供装置３０の記憶部３８の容量を節約することもできる。
【０１０２】
次に、図１５及び図１６を参照して、情報提供装置３０に表示されている表示データを伝送端末１０に送信する際の処理について説明する。表示データ取得プログラム２３３の実行により情報提供装置３０に実現された情報提供装置３０の表示データ取得部３５は、図１５−１又は図１５−２に示すように、表示データの送信開始を指示するための操作入力手段として、開始ボタンＢ３１をディスプレイ３０６に表示する。ここで、図１５−１、図１５−２は、情報提供装置３０のディスプレイ３０６に表示された表示画面を示す図であって、それぞれ異なる表示内容（表示データ）が表示された例を示している。
【０１０３】
表示データ取得部３５は、操作入力受付部３３を介して開始ボタンＢ３１の押下を検出すると、ディスプレイ３０６に表示されている画面の表示データを取得し、表示データ通信部３６を用いて伝送端末１０に送信させる。なお、ディスプレイ３０６に表示された開始ボタンＢ３１については、表示データに含めないことが好ましい。以下、情報提供装置３０から表示データが送信される際の処理について説明する。
【０１０４】
図１６は、情報提供装置３０から表示データを送信する際の処理の手順を説明するための図である。なお、同図では説明が複雑になることを避けるため、情報提供装置３０（３０ａ、３０ｃ）及び伝送端末１０（１０ａａ、１０ｃａ）をそれぞれ２台とした例を示しているが、これに限らず３台以上としてもよい。また、本処理では、各伝送端末１０で表示可能（共有可能）な情報提供装置３０の表示データを一つに制限する場合について説明する。また、情報提供装置３０ａ及び伝送端末１０ａａ、情報提供装置３０ｃ及び伝送端末１０ｃａの各組で、ブルートゥース通信が確立されているものとする。
【０１０５】
また、各伝送端末１０の外部情報判定部２０は、中継装置４０から通知される表示データの受信状態を保持するための受信フラグをＲＡＭ１０３等に記憶している。この受信フラグは、現在、情報提供装置３０から表示データが送信中か否かを記憶するようになっており、表示データの受信の有無に応じてそれぞれｔｒｕｅ（送信あり）又はｆａｌｓｅ（送信なし）を記憶する。なお、受信フラグの初期値はｆａｌｓｅである。
【０１０６】
以下、情報提供装置３０ａから表示データが送信される例について説明する。情報提供装置３０ａの操作入力受付部３３が、上述した表示データの送信開始を指示する開始ボタン（開始ボタンＢ３１等）の押下入力を受け付けると（ステップＳ２１）、情報提供装置３０ａの表示データ取得部３５は、表示データの送信開始を伝送端末１０ａａに通知する（ステップＳ２２）。
【０１０７】
表示データの配信開始が通知された伝送端末１０ａａでは、外部情報判定部２０が受信フラグの状態を確認し（ステップＳ２３）、ｆａｌｓｅであると判定すると、中継装置４０に表示データの配信開始を要求する指示情報（以下、配信開始要求という）を送信する（ステップＳ２４）。
【０１０８】
なお、中継装置４０は、上述した絞込部１８の機能により選択された一の中継装置４０が用いられるものとする。また、中継装置４０への送信の際には、管理テーブル２３１に登録された他の伝送端末１０の端末ＩＤから特定したＩＰアドレスやドメイン名等のアドレスを、自己の伝送端末１０のアドレスとともに送信することで、自己の伝送端末１０と会議中にある全ての伝送端末１０（自己の伝送端末１０を含む）宛への転送を依頼する（以下、同様）。
【０１０９】
中継装置４０では、伝送端末１０ａａから配信開始要求を受信すると、この配信開始要求を送信した伝送端末１０ａａ及び当該伝送端末１０ａａと通信中にある他の伝送端末１０宛に、表示データの配信開始を通知する配信開始イベントを通知する（ステップＳ２５、Ｓ２６）。また、伝送端末１０ａａでは、配信開始イベントを中継装置４０から受信すると、外部情報判定部２０は、表示データの送信開始を指示する情報（以下、送信可能情報という）を情報提供装置３０ａに送信する（ステップＳ２７）。
【０１１０】
情報提供装置３０ａでは伝送端末１０ａａから送信可能情報を受信すると、表示データ通信部３６は、伝送端末１０ａａを介して表示データ取得部３５により取得された表示データを各伝送端末１０に送信する(ステップＳ２８)。この送信処理を詳しく説明すると以下のようになる。
【０１１１】
まず、情報提供装置３０ａの表示データ取得部３５が、ディスプレイ３０６に表示されている画面を表示データとして取得する。次いで、表示データ通信部３６は、表示データ取得部３５が取得した表示データを、ブルートゥース送受信部３２を介して伝送端末１０ａａに送信する。
【０１１２】
情報提供装置３０ａとブルートゥース通信により接続された伝送端末１０ａａでは、情報提供装置３０ａから表示データを受信すると、外部情報判定部２０は、この表示データを、自己の伝送端末１０ａａの撮像部１４や音入力部１５で取得されたデータ（撮像データ等）とともに送受信部１１に出力することで、通信ネットワーク２を介して中継装置４０に送信する。
【０１１３】
そして、中継装置４０は、伝送端末１０ａａから送信されたデータを各伝送端末１０に向けて送信（配信）する。このとき、中継装置４０が転送する情報提供装置３０ａの表示データを、送信元の伝送端末１０ａａに対しても送信が行われるようにする。また、伝送端末１０ａａの表示制御部１７では、中継装置４０に送信する前のデータを表示するのではなく、中継装置４０を経由した後のデータを表示するようにする。同様に各伝送端末１０のカメラ１１３で撮像された撮像データについても、一旦中継装置４０に送信し、当該中継装置４０から戻ってきた撮像データを表示するようにする。
【０１１４】
上記の処理を行うことで、表示データがどの情報提供装置３０から送信されても、各伝送端末１０で受信するまでの遅延時間がほぼ同じとなる。そのため、例えば、情報提供装置３０ａの利用者が当該情報提供装置３０ａにて資料のページ送り（次又は前ページの表示）を行ったときに、ほぼ同時期に各伝送端末１０の表示内容が変更されるため、遠隔会議であっても円滑にコミュニケーションを図ることができる。また、撮像データについても同様であり、当該撮像データが各伝送端末１０で表示されるまでの遅延時間を、全ての伝送端末１０で略同等に揃えることができる。
【０１１５】
図１６の処理の説明に戻る。情報提供装置３０ａでは、表示データ通信部３６が表示データの送信を開始すると、表示データ取得部３５は、ディスプレイ３０６に表示された配信開始を指示するための開始ボタンを、配信停止を指示するための停止ボタンに変更する（ステップＳ２９）。ここで、図１７−１、図１７−２は、情報提供装置３０のディスプレイ３０６に表示された表示画面を示す図であって、上述した図１５−１、図１５−２の画面にそれぞれ対応している。図１７−１、図１７−２において、停止ボタンＢ３２は、表示データの配信停止を指示するためのボタンであり、表示データの送信に伴い、図１５−１、図１５−２に示した開始ボタンＢ３１の表示から切り替えられたものである。なお、後述するように、停止ボタンＢ３２の押下により、表示データの送信が停止されるよう構成されている。
【０１１６】
図１６に戻り、表示データを受信した各伝送端末１０では、外部情報判定部２０が受信フラグをｔｒｕｅにセットし（ステップＳ３０、Ｓ３１）、表示制御部１７が表示データおよび撮像データの画面配置を再構成する（ステップＳ３２、Ｓ３３）。具体的には、図９で説明したように、情報提供装置３０ａから送信された表示データを表示領域Ａ２１に配置して表示し、各伝送端末１０で撮像された撮像データを表示領域Ａ２２以降に順次配置して表示する。
【０１１７】
以上に述べたように、情報提供装置３０のディスプレイ３０６に表示データの送信開始を指示する開始ボタンを配置(表示)することで、利用者は開始ボタンを押下する、という容易な操作で表示データを各伝送端末１０に送信（配信）することが可能となる。また、表示データの送信状態に応じて開始ボタン／停止ボタンを切り替えることにより、表示データが配信されているか否かを容易に確認できるため、公開したくない情報を誤って送信してしまうという誤操作を防止することができる。
【０１１８】
次に、図１８を参照し、情報提供装置３０ａの表示データを送信している状態から、情報提供装置３０ｃの表示データの送信に切り替える際の処理例について説明する。ここで、図１８は、表示データの送信元を切り替える際の処理の手順を説明するための図である。なお、図１８に示す処理は上述した図１６の処理の後、情報提供装置３０ｃの開始ボタンＢ３１が押下された例を示している。
【０１１９】
情報提供装置３０ｃの操作入力受付部３３では、利用者から開始ボタンＢ３１の押下入力を受け付けると（ステップＳ４１）、当該情報提供装置３０ｃの表示データ取得部３５は、表示データの配信開始を伝送端末１０ｃａに通知する（ステップＳ４２）。
【０１２０】
表示データの配信開始が通知された伝送端末１０ｃａでは、外部情報判定部２０が受信フラグの状態を確認し（ステップＳ４３）、ｔｒｕｅであると判定すると、中継装置４０に表示データの配信停止を要求する指示情報（以下、配信停止要求という）を送信する（ステップＳ４４）。
【０１２１】
中継装置４０では、伝送端末１０ｃａから配信停止要求を受信すると、この配信停止要求を送信した伝送端末１０ｃａ及び当該伝送端末１０ｃａと通信中にある他の伝送端末１０宛に、表示データの配信停止を通知する配信停止イベントを通知する（ステップＳ４５、Ｓ４６）。
【０１２２】
配信停止イベントを受信した各伝送端末１０の外部情報判定部２０では、自己の伝送端末１０に接続された情報提供装置３０宛に、表示データの送信停止を指示する情報（以下、送信停止情報という）を送信する（ステップＳ４７、Ｓ４８）。表示データを送信中の情報提供装置３０ａの表示データ取得部３５では、この送信停止情報の受信に伴い、表示データの送信を停止することで、中継装置４０による各伝送端末１０への表示データの配信を停止させる（ステップＳ４９）。
【０１２３】
また、各情報提供装置３０の表示データ取得部３５は、送信停止情報を受信すると、ディスプレイ３０６に表示されていた停止ボタンＢ３２の表示を、表示データの送信開始を指示する開始ボタンＢ３１に変更する（ステップＳ５０、Ｓ５１）。この処理により、図１７−１等に示した情報提供装置３０ａの停止ボタンＢ３２は、図１５−１に示すように開始ボタンＢ３１に変更される。なお、情報提供装置３０ｃにおいても表示の変更は同様に行われるが、既に開始ボタンＢ３１が表示されているため、情報提供装置３０ｃの利用者からの見た目は変わらない。
【０１２４】
次いで、各伝送端末１０の外部情報判定部２０が、受信フラグをｆａｌｓｅにセットすると（ステップＳ５２、Ｓ５３）、表示制御部１７は、ディスプレイ３０６の表示領域Ａ２１に表示していた表示データをクリアし、各伝送端末１０の撮像データを表示領域Ａ２１以降に順次配置して表示することで、表示画面の再配置を行う（ステップＳ５４、Ｓ５５）。また、伝送端末１０ｃａの外部情報判定部２０は、中継装置４０に配信開始要求を送信する（ステップＳ５６）。以降のステップＳ５７〜Ｓ６５では、図１６で説明したステップＳ２５〜Ｓ３３と同様の処理が行われるため説明を省略する。
【０１２５】
これにより、情報提供装置３０ｃの表示データが、各伝送端末１０の表示画面の表示領域Ａ２１に配置され、他の画像データが表示領域Ａ２２以降に順次配置されることになる。また、他拠点の表示データが伝送端末１０の画面に表示されていても、自拠点の利用者は情報提供装置３０の開始ボタンを押下する、という容易な操作で自拠点の情報提供装置３０に表示された表示データを各拠点の伝送端末１０に送信し、自拠点側の表示データに画面を切り替えることが可能である。
【０１２６】
次に、図１９を参照して、情報提供装置３０から送信されている表示データを停止する際の処理例について説明する。ここで、図１９は、表示データの送信を停止する際の処理の手順を説明するための図である。なお、図１９に示す処理は上述した図１８の処理の後、情報提供装置３０ｃの停止ボタンＢ３２が押下された例を示している。
【０１２７】
情報提供装置３０ｃの操作入力受付部３３では、利用者から停止ボタンＢ３２の押下入力を受け付けると（ステップＳ７１）、当該情報提供装置３０ｃの表示データ取得部３５は、表示データの配信停止を伝送端末１０ｃａに通知する（ステップＳ７２）。以降のステップＳ７３〜Ｓ８５は、図１８で説明したステップＳ４３〜Ｓ５５と同様の処理が行われるため説明を省略する。
【０１２８】
これにより、情報提供装置３０ｃからの表示データの送信が停止され、各伝送端末１０の表示画面には画像データのみが表示されるようになる。なお、各伝送端末１０の表示画面のうち、表示領域Ａ２１には既に述べたように会話をしている拠点の画像データが配置される。このように、情報提供装置３０の利用者は停止ボタンＢ３２を押下する、という容易な操作で表示データの送信を停止することが可能になる。
【０１２９】
また、図１６、図１８及び図１９に示した処理によれば、情報提供装置３０の表示画面（表示データ）を各伝送端末１０で共有する際に、情報提供装置３０を所望の伝送端末１０に近接させることで当該伝送端末１０を経由して他の伝送端末１０に表示データを配信することができるため、会議拠点毎にネットワークの接続手続きを行う必要がなくなり、表示データの共有を容易に行うことが可能となる。また、画面共有のために別のネットワーク基盤技術を用意する必要もないため、コストの増加を防ぐことができる。
【０１３０】
また、各伝送端末１０から中継装置４０へ配信の開始又は停止を要求することで、どの伝送端末１０（情報提供装置３０）が表示データを送信している状態にあるかということを中継装置４０側で管理する必要がなくなる。これにより、情報提供装置３０から送信する表示データを一つの拠点に制限する必要はあるものの、中継装置４０の処理の負荷が小さくなり、より多くの伝送端末１０に中継させることが可能となるため、スケーラビリティを向上することができる。
【０１３１】
なお、各情報提供装置３０に表示される送信開始または停止を指示するＧＵＩはボタン（開始ボタンＢ３１、停止ボタンＢ３２）に限定されるものではなく、メニューを表示して利用者に選択させるようにしてもよい。また、開始ボタンＢ３１及び停止ボタンＢ３２にラベルをつけて（例えば、開始ボタンＢ３１には「画面共有を開始」、停止ボタンＢ３２には「画面共有を終了」）、ボタン押下により発生する処理の内容を表示させるようにしてもよい。また、「画面共有できます」、「画面共有中です」というようなテキストデータをそれぞれ開始ボタンＢ３１、停止ボタンＢ３２と併せて表示させるようにしてもよい。
【０１３２】
以上、本発明に係る実施形態について説明したが、これに限定されるものではなく、本発明の主旨を逸脱しない範囲での種々の変更、置換、追加等が可能である。
【０１３３】
例えば、上記実施形態では、距離的に離れた場所間の遠隔会議の例を示したが、これに限らず、実際に距離的に離れている場合だけでなく、同じ建物内の会議室のように距離的に近い会議室の間、また、同じ部屋であっても肉声が聞こえないような場所間の遠隔会議に用いてもよい。すなわち遠隔会議とは直接対面して行う会議ではなく、伝送システムを介して行う会議を意味する。また、会議には一人対一人で行う打ち合せのような場合も含まれるものとする。
【０１３４】
また、上記実施形態では、伝送システム１によってテレビ会議をする場合について説明したが、これに限るものではなく、打ち合わせ、家族間や友人間等の一般的な会話、又は、一方向での情報の提示に使用されても構わない。
【符号の説明】
【０１３５】
１  伝送システム
２  通信ネットワーク
１０  伝送端末
１１  送受信部
１２  操作入力受付部
１３  ログイン要求部
１４  撮像部
１５  音入力部
１６  音出力部
１７  表示制御部
１８  絞込部
１９  記憶・読出処理部
２０  外部情報判定部
２１  ＮＦＣ送受信部
２２  ブルートゥース送受信部
２３  記憶部
２３１  管理テーブル
２３２  認証テーブル
２３３  表示データ取得プログラム
３０  情報提供装置
３１  ＮＦＣ送受信部
３２  ブルートゥース送受信部
３３  操作入力受付部
３４  表示制御部
３５  表示データ取得部
３６  表示データ通信部
３７  記憶・読出処理部
３８  記憶部
４０  中継装置
５０  伝送管理システム
６０  ルータ
７０  プログラム提供システム
【先行技術文献】
【特許文献】
【０１３６】
【特許文献１】特開２００６−０１８４３０号公報
【図１】
0005849484.tif 000002
【図２】
0005849484.tif 000003
【図３】
0005849484.tif 000004
【図４】
0005849484.tif 000005
【図５】
0005849484.tif 000006
【図６】
0005849484.tif 000007
【図７】
0005849484.tif 000008
【図８】
0005849484.tif 000009
【図９】
0005849484.tif 000010
【図１０】
0005849484.tif 000011
【図１１】
0005849484.tif 000012
【図１２】
0005849484.tif 000013
【図１３】
0005849484.tif 000014
【図１４】
0005849484.tif 000015
【図１５−１】
0005849484.tif 000016
【図１５−２】
0005849484.tif 000017
【図１６】
0005849484.tif 000018
【図１７−１】
0005849484.tif 000019
【図１７−２】
0005849484.tif 000020
【図１８】
0005849484.tif 000021
【図１９】
0005849484.tif 000022